(57)【要約】【課題】電極組立体から発生した異物による絶縁シートの破れを抑制できる蓄電装置を提供する。【解決手段】二次電池は、シート状の正極電極２０と負極電極２１を互いに絶縁した状態で積層した電極組立体１２と、電極組立体１２を覆う絶縁フィルム３０と、絶縁フィルム３０によって覆われた電極組立体１２を収容するケースとを備える。正極電極２０は、正極金属箔２２と、正極金属箔２２の両面に存在する正極活物質層２３とを有する。負極電極２１は、負極金属箔２５と、負極金属箔２５の両面に存在する負極活物質層２６とを有する。正極活物質層２３及び負極活物質層２６のうち、厚みが厚い方の活物質層の厚みをＨａとし、正極電極２０及び負極電極２１のうち、厚みが厚い方の電極の厚みをＨｂとする。電極組立体１２の第１側面及び第２側面１２ｄを覆う絶縁フィルム３０の第２被覆部３２の厚みＨ３２は、Ｈａ＜Ｈ３２≦Ｈｂに設定される。【選択図】図３
2018170244.tif 000002
【特許請求の範囲】
【請求項１】
シート状の第１の電極と、前記第１の電極と極性の異なるシート状の第２の電極とを互いに絶縁した状態で積層した電極組立体と、
前記電極組立体を覆う絶縁シートと、
前記絶縁シートによって覆われた前記電極組立体を収容するケースと、
を備え、
前記第１の電極及び前記第２の電極は、集電体と、該集電体の少なくとも片面に存在する活物質層とを有する蓄電装置であって、
前記第１の電極の活物質層及び前記第２の電極の活物質層のうち、厚みが厚い方の活物質層の厚みをＨａとし、前記第１の電極及び前記第２の電極のうち、厚みが厚い方の電極の厚みをＨｂとしたとき、
前記電極組立体の積層方向の端面を覆う前記絶縁シートの被覆部の厚みＨは、Ｈａ＜Ｈ≦Ｈｂであることを特徴とする蓄電装置。
【請求項２】
前記被覆部は、複数枚の前記絶縁シートを積層方向に重ねて形成されている請求項１に記載の蓄電装置。
【請求項３】
長尺帯状の第１の電極と、前記第１の電極と極性の異なる長尺帯状の第２の電極とを互いに絶縁した状態で積層し、偏平状に巻回した電極組立体と、
前記電極組立体を覆う絶縁シートと、
前記絶縁シートによって覆われた前記電極組立体を収容するケースと、
を備え、
前記第１の電極及び前記第２の電極は、集電体と、該集電体の少なくとも片面に存在する活物質層とを有する蓄電装置であって、
前記第１の電極の活物質層及び前記第２の電極の活物質層のうち、厚みが厚い方の活物質層の厚みをＨａとし、前記第１の電極及び前記第２の電極のうち、厚みが厚い方の電極の厚みをＨｂとしたとき、
前記電極組立体の偏平面を覆う前記絶縁シートの被覆部の厚みＨは、Ｈａ＜Ｈ≦Ｈｂであることを特徴とする蓄電装置。
【発明の詳細な説明】
【技術分野】
【０００１】
本発明は、電極組立体と、電極組立体を覆う絶縁シートと、絶縁シートによって覆われた電極組立体を収容するケースとを備える蓄電装置に関する。
【背景技術】
【０００２】
ＥＶ（Electric Vehicle）やＰＨＶ（Plug-in Hybrid Vehicle）などの車両には、走行用モータへの供給電力を蓄える蓄電装置としての二次電池が搭載されている。二次電池は、正極電極及び負極電極が層をなすように積層又は巻回された電極組立体と、当該電極組立体を収容する有底筒状のケースとを備える。正極電極及び負極電極は、集電体としての金属箔と、金属箔の両面又は片面に存在する活物質層とを備える。電極組立体とケースとは、電極組立体を覆う絶縁シートによって絶縁されている（特許文献１参照）。
【先行技術文献】
【特許文献】
【０００３】
【特許文献１】特開２０１４−３８７３６号公報
【発明の概要】
【発明が解決しようとする課題】
【０００４】
ところで、二次電池のケース内では、正極電極及び負極電極の金属箔から剥がれ落ちた活物質層の一部が、電極組立体と絶縁シートとの間に異物として存在することがある。電極組立体と絶縁シートとの間に異物が存在する場合、二次電池の充電により電極組立体が積層方向に膨張した際に、異物が絶縁シートに食い込み、絶縁シートに破れが生じるおそれがある。絶縁シートが破れると、電極組立体とケースが短絡してしまう。
【０００５】
本発明は、上記課題を解決するためになされたものであり、その目的は、電極組立体から発生した異物による絶縁シートの破れを抑制できる蓄電装置を提供することにある。
【課題を解決するための手段】
【０００６】
上記問題点を解決するための蓄電装置は、シート状の第１の電極と、前記第１の電極と極性の異なるシート状の第２の電極とを互いに絶縁した状態で積層した電極組立体と、前記電極組立体を覆う絶縁シートと、前記絶縁シートによって覆われた前記電極組立体を収容するケースと、を備え、前記第１の電極及び前記第２の電極は、集電体と、該集電体の少なくとも片面に存在する活物質層とを有する蓄電装置であって、前記第１の電極の活物質層及び前記第２の電極の活物質層のうち、厚みが厚い方の活物質層の厚みをＨａとし、前記第１の電極及び前記第２の電極のうち、厚みが厚い方の電極の厚みをＨｂとしたとき、前記電極組立体の積層方向の端面を覆う前記絶縁シートの被覆部の厚みＨは、Ｈａ＜Ｈ≦Ｈｂであることを要旨とする。
【０００７】
異物（金属箔から剥がれ落ちた活物質層の一部）が、電極組立体の積層方向の端面と絶縁シートの被覆部との間に存在した場合、蓄電装置の充電時の電極組立体の積層方向への膨張によって、異物は被覆部に食い込む。しかしながら、絶縁シートの被覆部の厚みＨは、異物の最大サイズである厚い方の活物質層の厚みＨａより厚いため、絶縁シートの破れは抑制される。なお、絶縁シートの被覆部の厚みＨが厚いほど、絶縁シートの破れは抑制されるが、厚い方の電極の厚みより厚くすると、ケース内に収容可能な電極の枚数が減ってしまう。すなわち、ケース内を占める電極組立体の容積が小さくなるため、蓄電装置の容量の低下につながる。絶縁シートの被覆部の厚みＨを厚い方の電極の厚み以下に設定することで、蓄電装置の容量を必要以上に低下させることなく、電極組立体から発生する異物による絶縁シートの破れを抑制できる。
【０００８】
また、上記蓄電装置について、前記被覆部は、複数枚の前記絶縁シートを積層方向に重ねて形成されているのが好ましい。
これによれば、被覆部が１枚の絶縁フィルムによって構成されている場合と比較して、被覆部の厚みを容易に調整できる。
【０００９】
上記問題点を解決するための蓄電装置は、長尺帯状の第１の電極と、前記第１の電極と極性の異なる長尺帯状の第２の電極とを互いに絶縁した状態で積層し、偏平状に巻回した電極組立体と、前記電極組立体を覆う絶縁シートと、前記絶縁シートによって覆われた前記電極組立体を収容するケースと、を備え、前記第１の電極及び前記第２の電極は、集電体と、該集電体の少なくとも片面に存在する活物質層とを有する蓄電装置であって、前記第１の電極の活物質層及び前記第２の電極の活物質層のうち、厚みが厚い方の活物質層の厚みをＨａとし、前記第１の電極及び前記第２の電極のうち、厚みが厚い方の電極の厚みをＨｂとしたとき、前記電極組立体の偏平面を覆う前記絶縁シートの被覆部の厚みＨは、Ｈａ＜Ｈ≦Ｈｂであることを要旨とする。
【００１０】
異物（金属箔から剥がれ落ちた活物質層の一部）が、電極組立体の偏平面と絶縁シートの被覆部との間に存在した場合、蓄電装置の充電時に電極組立体が偏平面と直交する方向に膨張することによって、異物は被覆部に食い込む。しかしながら、絶縁シートの被覆部の厚みＨは、異物の最大サイズである厚い方の活物質層の厚みＨａより厚いため、絶縁シートの破れは抑制される。なお、絶縁シートの被覆部の厚みＨが厚いほど、絶縁シートの破れは抑制されるが、厚い方の電極の厚みより厚くすると、巻回された電極組立体における電極の層が減ってしまう。すなわち、ケース内を占める電極組立体の容積が小さくなるため、蓄電装置の容量の低下につながる。絶縁シートの被覆部の厚みＨを厚い方の電極の厚みＨｂ以下に設定することで、蓄電装置の容量を必要以上に低下させることなく、電極組立体から発生する異物による絶縁シートの破れを抑制できる。
【発明の効果】
【００１１】
本発明によれば、電極組立体から発生した異物による絶縁シートの破れを抑制できる。
【図面の簡単な説明】
【００１２】
【図１】実施形態の二次電池の分解斜視図。
【図２】電極組立体の分解斜視図。
【図３】実施形態の二次電池の部分断面図。
【図４】別例の二次電池の分解斜視図。
【図５】別例の二次電池の部分断面図。
【図６】別例の二次電池の断面図。
【図７】（ａ）は図６のＸ−Ｘ線断面図、（ｂ）は（ａ）の部分拡大図。
【発明を実施するための形態】
【００１３】
以下、蓄電装置を具体化した一実施形態を図１〜図３にしたがって説明する。
図１に示すように、蓄電装置としての二次電池１０は、ケース１１を備える。二次電池１０は、ケース１１に収容された電極組立体１２を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１４】
ケース本体１３は、底面１３ｂと、底面１３ｂに繋がる第１〜第４壁部１３ｃ〜１３ｆとを備える。ケース本体１３は、底面１３ｂの一対の長縁部に繋がる壁部のうちの一方の壁部に第１壁部１３ｃを備え、第１壁部１３ｃと対面する他方の壁部に第２壁部１３ｄを備える。また、ケース本体１３は、第１壁部１３ｃと第２壁部１３ｄとを繋ぎ、底面１３ｂの一対の短縁部に繋がる壁部のうちの一方の壁部に第３壁部１３ｅを備え、第３壁部１３ｅと対面する他方の壁部に第４壁部１３ｆを備える。
【００１５】
二次電池１０は、電極組立体１２から電気を取り出すための正極端子１５と負極端子１６を備える。正極端子１５と負極端子１６は、蓋１４に所定の間隔をあけて並設された一対の孔１４ａからケース１１の外部に露出される。また、正極端子１５及び負極端子１６には、ケース１１から絶縁するためのリング状の絶縁リング１７ａがそれぞれ取り付けられている。
【００１６】
図２に示すように、電極組立体１２は、第１の電極としての複数の正極電極２０と、第２の電極としての複数の負極電極２１と、複数のセパレータ２９とを備える。電極組立体１２は、正極電極２０と負極電極２１との間にセパレータ２９を介在させ、かつ相互に絶縁させた状態で積層した層状構造を備える。以下、正極電極２０、負極電極２１、及びセパレータ２９が積層される方向を積層方向とし、積層方向における寸法を厚みという。
【００１７】
図３に示すように、正極電極２０は、矩形シート状の集電体としての正極金属箔（例えばアルミニウム箔）２２と、正極金属箔２２の両面に存在する正極活物質層２３とを有する。本実施形態では、正極金属箔２２の厚みＨ２２は１２μｍであり、各正極活物質層２３の厚みＨ２３は８４μｍである。よって、正極電極２０の厚みＨ２０は、１８０μｍである。
【００１８】
正極電極２０は、一対の長辺に沿う縁部のうちの一方の縁部に第１縁部２０ａを備える。正極電極２０は、第１縁部２０ａの一部から突出した形状の正極タブ２４を有する。正極タブ２４は、正極活物質層２３が存在せず、正極金属箔２２そのもので構成されている。また、正極電極２０は、一対の長辺に沿う縁部のうちの第１縁部２０ａの対辺となる他方の縁部に第２縁部２０ｂを備える。さらに、正極電極２０は、第１縁部２０ａと第２縁部２０ｂ同士を繋ぐ一対の短辺に沿う縁部のうちの一方の縁部に第３縁部２０ｃを備え、第３縁部２０ｃの対辺となる他方の縁部に第４縁部２０ｄを備える。正極活物質層２３の縁部は、第１〜第４縁部２０ａ〜２０ｄと一致する。
【００１９】
このような正極電極２０の製造工程は、活物質層形成工程及び切断工程を含む。活物質層形成工程は、長尺帯状の正極金属箔２２の両面に、活物質、導電助剤、溶媒、及びバインダを混合した活物質ペーストを塗布した後、乾燥させることで正極活物質層２３を形成する工程である。切断工程は、正極活物質層２３が形成された長尺帯状の正極金属箔２２を正極電極２０の形状に切断する工程である。正極電極２０の第１〜第４縁部２０ａ〜２０ｄは、切断工程によって形成される。つまり、第１〜第４縁部２０ａ〜２０ｄは、図示しない切断装置によって切断される切断部である。このため、正極電極２０の第１〜第４縁部２０ａ〜２０ｄに存在する正極活物質層２３は、正極金属箔２２の中央部に存在する正極活物質層２３に比べて脱落しやすい。
【００２０】
図３に示すように、負極電極２１は、矩形シート状の集電体としての負極金属箔（例えば銅箔）２５と、負極金属箔２５の両面に存在する負極活物質層２６と、負極活物質層２６の表面に存在する絶縁性の耐熱層２７とを有する。本実施形態では、負極金属箔２５の厚みＨ２５は８μｍであり、各負極活物質層２６の厚みＨ２６は７７μｍであり、各耐熱層２７の厚みＨ２７は５μｍである。よって、負極電極２１の厚みＨ２１は、１７２μｍである。負極活物質層２６の厚みＨ２６は、正極活物質層２３の厚みＨ２３よりも薄い。言い換えると、正極活物質層２３の厚みＨ２３は、負極活物質層２６の厚みＨ２６よりも厚い。また、負極電極２１の厚みＨ２１は、正極電極２０の厚みＨ２０よりも薄い。言い換えると、正極電極２０の厚みＨ２０は、負極電極２１の厚みＨ２１よりも厚い。
【００２１】
負極電極２１は、一対の長辺に沿う縁部のうちの一方の縁部に第１縁部２１ａを備える。負極電極２１は、第１縁部２１ａの一部から突出した形状の負極タブ２８を有する。負極タブ２８は、負極活物質層２６が存在せず、負極金属箔２５そのもので構成されている。また、負極電極２１は、一対の長辺に沿う縁部のうちの第１縁部２１ａの対辺となる他方の縁部に第２縁部２１ｂを備える。さらに、負極電極２１は、第１縁部２１ａと第２縁部２１ｂ同士を繋ぐ一対の短辺に沿う縁部のうちの一方の縁部に第３縁部２１ｃを備え、第３縁部２１ｃの対辺となる他方の縁部に第４縁部２１ｄを備える。負極活物質層２６の縁部は、第１〜第４縁部２１ａ〜２１ｄと一致する。
【００２２】
このような負極電極２１の製造工程は、活物質層形成工程、耐熱層形成工程、及び切断工程を含む。活物質層形成工程は、長尺帯状の負極金属箔２５の両面に、活物質（カーボン）、導電助剤、溶媒、及びバインダを混合した活物質ペーストを塗布した後、乾燥させることで負極活物質層２６を形成する工程である。耐熱層形成工程は、負極活物質層２６の表面に、アルミナなどのセラミック粒子とＰＶＤＦなどのバインダを含む耐熱層材料を塗工した後、乾燥させることで耐熱層２７を形成する工程である。切断工程は、負極活物質層２６及び耐熱層２７が形成された長尺帯状の負極金属箔２５を負極電極２１の形状に切断する工程である。負極電極２１の第１〜第４縁部２１ａ〜２１ｄは、切断工程によって形成される。つまり、第１〜第４縁部２１ａ〜２１ｄは、図示しない切断装置によって切断される切断部である。このため、負極電極２１の第１〜第４縁部２１ａ〜２１ｄに存在する負極活物質層２６は、負極金属箔２５の中央部に存在する負極活物質層２６に比べて脱落しやすい。
【００２３】
図１に示すように、各正極電極２０は、それぞれの正極タブ２４が電極組立体１２の積層方向に沿って列状に配置されるように積層される。同様に、各負極電極２１は、それぞれの負極タブ２８が、正極タブ２４と重ならないように電極組立体１２の積層方向に沿って列状に配置されるように積層される。そして、各正極タブ２４は、電極組立体１２における積層方向の一端から他端までの範囲に集められて正極タブ群２４ａとされる。正極タブ群２４ａには、正極端子１５が電気的に接合される。また、各負極タブ２８も同様に、電極組立体１２における積層方向の一端から他端までの範囲に集められて負極タブ群２８ａとされる。負極タブ群２８ａには、負極端子１６が電気的に接続される。
【００２４】
電極組立体１２は、蓋１４に対向した端面に正極タブ群２４ａ及び負極タブ群２８ａが存在するタブ側端面１２ａを備え、ケース本体１３の底面１３ｂに対向した端面に底側端面１２ｂを備える。電極組立体１２は、ケース本体１３の第１壁部１３ｃの内面に対向した端面に第１側面１２ｃを備え、ケース本体１３の第２壁部１３ｄの内面に対向した端面に第２側面１２ｄを備える。電極組立体１２は、ケース本体１３の第３壁部１３ｅの内面に対向した端面に第３側面１２ｅを備え、ケース本体１３の第４壁部１３ｆの内面に対向した端面に第４側面１２ｆを備える。
【００２５】
このような電極組立体１２は、絶縁シートとしての絶縁フィルム３０で覆われている。絶縁フィルム３０は、電極組立体１２を金属製のケース１１と絶縁するための絶縁性シートであり、例えば、ポリプロピレン（ＰＰ）製である。絶縁フィルム３０は、１枚のシート状の絶縁フィルム３０を折り畳み、かつ溶着して袋状に形成されている。絶縁フィルム３０は、電極組立体１２のタブ側端面１２ａを除く５面（底側端面１２ｂ及び第１〜第４側面１２ｃ〜１２ｆ）を覆っている。絶縁フィルム３０において、電極組立体１２の底側端面１２ｂを覆う部分を第１被覆部３１とし、第１側面１２ｃ及び第２側面１２ｄを覆う部分を被覆部としての第２被覆部３２とし、第３側面１２ｅ及び第４側面１２ｆを覆う部分を第３被覆部３３とする。
【００２６】
絶縁フィルム３０の第２被覆部３２の厚みＨ３２は、正極活物質層２３及び負極活物質層２６のうち、厚みが厚い方の活物質層の厚みＨａよりも厚く、正極電極２０及び負極電極２１のうち、厚みが厚い方の電極の厚みＨｂ以下となる範囲（Ｈａ＜Ｈ３２≦Ｈｂ）で設定される。本実施形態では、厚い方の活物質層は正極活物質層２３であり、厚い方の電極は正極電極２０である。よって、第２被覆部３２の厚みＨ３２は、正極活物質層２３の厚みＨ２３（８４μｍ）よりも厚く、正極電極２０の厚みＨ２０（１８０μｍ）以下となる範囲（Ｈ２３＜Ｈ３２≦Ｈ２０）で設定される。本実施形態の絶縁フィルム３０の第２被覆部３２の厚みＨ３２は、１５０μｍに設定されている。本実施形態の絶縁フィルム３０の第２被覆部３２の厚みＨ３２は、Ｈａ（Ｈ２３）＜Ｈ３２≦Ｈｂ（Ｈ２０）を満たす。第１及び第３被覆部３１，３３の厚みも１５０μｍである。
【００２７】
このような二次電池１０は、図示しない拘束治具によって拘束された状態で充放電が行われる。拘束治具は、ケース本体１３の第１壁部１３ｃ及び第２壁部１３ｄに対して積層方向両側から荷重を加えることで、二次電池１０を積層方向に拘束する。よって、二次電池１０の充放電時において、絶縁フィルム３０の第２被覆部３２は、ケース本体１３側に膨張しようとする電極組立体１２の第１側面１２ｃ及び第２側面１２ｄと、電極組立体１２側に拘束されるケース本体１３の第１壁部１３ｃ及び第２壁部１３ｄの内面との間で挟まれる。
【００２８】
また、このような二次電池１０のケース１１内では、電極組立体１２から異物が発生する場合がある。電極組立体１２から発生する異物とは、正極金属箔２２から剥がれ落ちた正極活物質層２３の一部、負極金属箔２５から剥がれ落ちた負極活物質層２６の一部、及び負極活物質層２６から剥がれ落ちた耐熱層２７の一部のことである。これら異物における最大サイズは、正極活物質層２３の厚みＨ２３の８４μｍである。
【００２９】
次に、本実施形態の作用について説明する。
異物（正極金属箔２２から剥がれ落ちた正極活物質層２３の一部、負極金属箔２５から剥がれ落ちた負極活物質層２６の一部、及び負極活物質層２６から剥がれ落ちた耐熱層２７の一部）が、電極組立体１２の第１及び第２側面１２ｃ，１２ｄと絶縁フィルム３０の第２被覆部３２との間に存在した場合、二次電池１０の充電時に電極組立体１２が積層方向へ膨張することによって、異物は第２被覆部３２に食い込む。しかしながら、絶縁フィルム３０の第２被覆部３２の厚みＨ３２は、異物の最大サイズである正極活物質層２３の厚みＨ２３よりも厚いため、絶縁フィルム３０の第２被覆部３２の破れは抑制される。なお、絶縁フィルム３０の第２被覆部３２の厚みＨ３２が厚いほど、絶縁フィルム３０の破れは抑制されるが、厚い方の電極である正極電極２０の厚みＨ２０より厚いと、ケース１１内に収容可能な正極電極２０又は負極電極２１の枚数が減ってしまう。すなわち、ケース１１内を占める電極組立体１２の容積が小さくなるため、二次電池１０の容量の低下につながる。絶縁フィルム３０の第２被覆部３２の厚みＨ３２を厚い方の電極である正極電極２０の厚みＨ２０（１８０μｍ）以下に設定することで、二次電池１０の容量を必要以上に低下させることなく、電極組立体１２から発生する異物による絶縁フィルム３０の破れを抑制できる。
【００３０】
次に、本実施形態の特徴的な効果を記載する。
（１）異物（例えば、正極金属箔２２から剥がれ落ちた正極活物質層２３の一部や負極金属箔２５から剥がれ落ちた負極活物質層２６の一部）が、電極組立体１２の第１及び第２側面１２ｃ，１２ｄと絶縁フィルム３０の第２被覆部３２との間に存在した場合、二次電池１０の充電時に電極組立体１２が積層方向へ膨張することによって、異物は第２被覆部３２に食い込む。しかしながら、絶縁フィルム３０の第２被覆部３２の厚みＨ３２（１５０μｍ）は、正極活物質層２３の厚みＨ２３（８４μｍ）よりも厚いため、異物による絶縁フィルム３０の第２被覆部３２の破れは抑制される。
【００３１】
なお、上記実施形態は、以下のように変更してもよい。
○  集電体は、正極活物質層２３や負極活物質層２６が形成できるものであれば、正極金属箔２２や負極金属箔２５に限定されるものではない。例えば、織物状や網状のシートを用いてもよい。
【００３２】
○  正極電極２０は、正極金属箔２２の片面に正極活物質層２３が存在する構造でもよい。同様に、負極電極２１は、負極金属箔２５の片面に負極活物質層２６が存在する構成でもよい。
【００３３】
○  正極電極２０は、正極タブ２４以外に正極活物質層２３が存在しない部分を備えていてもよい。同様に、負極電極２１は、負極タブ２８以外に負極活物質層２６が存在しない部分を備えていてもよい。
【００３４】
○  負極電極２１の耐熱層２７は無くてもよい。
○  絶縁フィルム３０の第１及び第３被覆部３１，３３の厚みは、第２被覆部３２より厚くてもよいし薄くてもよい。
【００３５】
○  負極活物質層２６の活物質は、シリコンでもよい。活物質がシリコンである場合、例えば、正極金属箔２２の厚みＨ２２を１５μｍとし、各正極活物質層２３の厚みＨ２３を７５μｍとする。よって、正極電極２０の厚みＨ２０は１６５μｍとなる。また、負極金属箔２５の厚みＨ２５を１０μｍとし、各負極活物質層２６の厚みＨ２６を２８．５μｍとし、各耐熱層２７の厚みＨ２７を５μｍとする。よって、負極電極２１の厚みＨ２１は７７μｍとなる。このとき、絶縁フィルム３０の第２被覆部３２の厚みＨ３２を、厚い方の活物質層である正極活物質層２３の厚みＨ２３（７５μｍ）より厚く、厚い方の電極である正極電極２０の厚みＨ２０（１６５μｍ）以下となる範囲で設定する。
【００３６】
また、負極活物質層２６の活物質は、シリコンとカーボンの両方を含んでもよい。活物質に用いる材料の種類や割合は、二次電池１０の容量に応じて変更してよい。
○  上記実施形態では、正極活物質層２３及び負極活物質層２６のうち、厚い方の活物質層は正極活物質層２３であり、正極電極２０及び負極電極２１のうち、厚い方の電極は正極電極２０であった。しかしながら、厚い方の活物質層が負極活物質層２６であり、厚い方の電極が負極電極２１であってもよい。また、厚い方の活物質層が正極活物質層２３であり、厚い方の電極が負極電極２１であってもよい。また、厚い方の活物質層が負極活物質層２６であり、厚い方の電極が正極電極２０であってもよい。
【００３７】
○  絶縁シートの種類は、絶縁フィルム３０に限定されず、ラミネートシートであってもよい。
○  絶縁フィルム３０の材料は、ポリプロピレン（ＰＰ）に限定されず、ポリフェニレンサルファイド（ＰＰＳ）など他の材料でもよい。
【００３８】
○  上記実施形態では、絶縁フィルム３０の第２被覆部３２は１枚のフィルムから構成されていたが、複数枚のフィルムから構成されてもよい。
例えば、図４に示すように、蓄電装置としての二次電池１０ａが備える絶縁シートとしての絶縁フィルム４０は、第１絶縁フィルム４０ａ及び第２絶縁フィルム４０ｂの２枚のフィルムから構成されている。絶縁フィルム４０において、電極組立体１２の底側端面１２ｂを覆う部分を第１被覆部４１とし、第１側面１２ｃ及び第２側面１２ｄを覆う部分を被覆部としての第２被覆部４２とし、第３側面１２ｅ及び第４側面１２ｆを覆う部分を第３被覆部４３とする。
【００３９】
第１絶縁フィルム４０ａの厚みＨ４０ａは１００μｍである。第１絶縁フィルム４０ａは、電極組立体１２の底側端面１２ｂを覆う部分に第１部位４１ａを備え、第１及び第２側面１２ｃ，１２ｄを覆う部分に第２部位４２ａを備え、第３及び第４側面１２ｅ，１２ｆを覆う部分に第３部位４３ａを備える。第２絶縁フィルム４０ｂの厚みＨ４０ｂは５０μｍである。第２絶縁フィルム４０ｂは、第１絶縁フィルム４０ａの第１部位４１ａによって覆われた底側端面１２ｂを覆う部分に第１部位４１ｂを備え、第１絶縁フィルム４０ａの第２部位４２ａによって覆われた第１及び第２側面１２ｃ，１２ｄを覆う部分に第２部位４２ｂを備える。
【００４０】
第１被覆部４１は、第１絶縁フィルム４０ａの第１部位４１ａと、第２絶縁フィルム４０ｂの第１部位４１ｂとが積層方向に重ねられて構成されている。第１被覆部４１の厚みは、第１絶縁フィルム４０ａの厚みＨ４０ａ（１００μｍ）と、第２絶縁フィルム４０ｂの厚みＨ４０ｂ（５０μｍ）を足し合わせた１５０μｍである。第２被覆部４２は、第１絶縁フィルム４０ａの第２部位４２ａと、第２絶縁フィルム４０ｂの第２部位４２ｂとが積層方向に重ねられて構成されている（図５参照）。第２被覆部４２の厚みＨ４２は、第１絶縁フィルム４０ａの厚みＨ４０ａ（１００μｍ）と、第２絶縁フィルム４０ｂの厚みＨ４０ｂ（５０μｍ）を足し合わせた１５０μｍである。第３被覆部４３は、第１絶縁フィルム４０ａの第３部位４３ａによって構成されている。第３被覆部４３の厚みは、第１絶縁フィルム４０ａの厚みＨ４０ａと同じ１００μｍである。
【００４１】
このように第１及び第２絶縁フィルム４０ａ，４０ｂを積層方向に重ねて第２被覆部４２を構成する場合、１枚の絶縁フィルムで厚みを変えることによって第２被覆部４２を構成する場合と比べて、第２被覆部４２の厚みＨ４２を容易に調整できる。
【００４２】
○  電極組立体１２は、積層型の電極組立体に限定されず、巻回型の電極組立体であってもよい。以下、巻回型の電極組立体を備える二次電池について説明する。
図６及び図７（ａ）に示すように、蓄電装置としての二次電池８０は、ケース１１を備える。なお、ケース１１については、上記実施形態と同構成であるため説明を省略する。二次電池８０は、ケース１１に収容された電極組立体８２を備える。本実施形態の電極組立体８２は、第１の電極としての長尺帯状の正極電極９０と、第２の電極としての長尺帯状の負極電極９１とを、長尺帯状のセパレータ９９を介在させて絶縁した状態で積層し、偏平状に巻回した巻回型の電極組立体である。
【００４３】
図７（ｂ）に示すように、正極電極９０は、長尺帯状の正極金属箔９２と、正極金属箔９２の両面に存在する正極活物質層９３とを備える。正極電極９０の厚みＨ９０は、上記実施形態の正極電極２０の厚みＨ２０と同じ厚みである。正極金属箔９２の厚みＨ９２は、上記実施形態の正極金属箔２２の厚みＨ２２と同じ厚みである。各正極活物質層９３の厚みＨ９３は、上記実施形態の正極活物質層２３の厚みＨ２３と同じ厚みである。
【００４４】
負極電極９１は、長尺帯状の負極金属箔９５と、負極金属箔９５の両面に存在する負極活物質層９６と、負極活物質層２６の表面に存在する絶縁性の耐熱層９７とを備える。負極電極９１の厚みＨ９１は、上記実施形態の負極電極２１の厚みＨ２１と同じ厚みである。負極金属箔９５の厚みＨ９５は、上記実施形態の負極金属箔２５の厚みＨ２５と同じ厚みである。負極活物質層９６の厚みＨ９６は、上記実施形態の負極活物質層２６の厚みＨ２６と同じ厚みである。耐熱層９７の厚みＨ９７は、上記実施形態の耐熱層２７の厚みＨ２７と同じ厚みである。
【００４５】
電極組立体８２は、巻回軸線Ｌが蓋１４の長手方向と一致するようにケース１１に収容されている。電極組立体８２は、ケース本体１３の第１壁部１３ｃの内面と対向する外側面に偏平面としての第１偏平面８３を備え、第２壁部１３ｄの内面と対向する外側面に偏平面としての第２偏平面８４を備える。また、電極組立体８２は、第１偏平面８３及び第２偏平面８４を繋ぐ外側面に円弧面８５を備える。
【００４６】
二次電池８０は、電極組立体８２の外側面を覆う絶縁シートとしての絶縁フィルム８６を備える。絶縁フィルム８６において、電極組立体８２の第１偏平面８３及び第２偏平面８４を覆う部位を被覆部としての第１部位８６ａとし、円弧面８５を覆う部位を第２部位８６ｂとする。絶縁フィルム８６の厚みＨ８６は、１５０μｍである。
【００４７】
このような巻回型の電極組立体８２を備える二次電池８０は、上記実施形態と同様、拘束治具によって拘束された状態で充放電が行われる。すなわち、ケース１１の第１壁部１３ｃと第２壁部１３ｄは、第１及び第２偏平面８３，８４と直交する方向に拘束される。
【００４８】
異物（正極金属箔９２から剥がれ落ちた正極活物質層９３の一部、負極金属箔９５から剥がれ落ちた負極活物質層９６の一部、及び負極活物質層２６から剥がれ落ちた耐熱層９７の一部）が、電極組立体８２の第１及び第２偏平面８３，８４と絶縁フィルム８６の第１部位８６ａとの間に存在した場合、二次電池８０の充電時に電極組立体８２が第１及び第２偏平面８３，８４と直交する方向に膨張することによって、異物は第１部位８６ａに食い込む。しかしながら、絶縁フィルム８６の第１部位８６ａの厚みＨ８６は、異物の最大サイズである正極活物質層９３の厚みＨ９３よりも厚いため、絶縁フィルム８６の破れは抑制される。
【００４９】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００５０】
○  蓄電装置は、例えばキャパシタなど、二次電池以外の蓄電装置にも適用可能である。
次に、上記実施形態及び別例から把握できる技術的思想を以下に追記する。
【００５１】
（イ）蓄電装置は二次電池である。
（ロ）活物質層の縁部は、集電体の縁部と一致する。
【符号の説明】
【００５２】
１０，１０ａ，８０…蓄電装置としての二次電池、１１…ケース、１２，８２…電極組立体、１２ｃ…端面としての第１側面、１２ｄ…端面としての第２側面、８３…偏平面としての第１偏平面、８４…偏平面としての第２偏平面、２０，９０…第１の電極としての正極電極、２１，９１…第２の電極としての負極電極、２２，９２…集電体としての正極金属箔、２３，９３…活物質層としての正極活物質層、２５，９５…集電体としての負極金属箔、２６，９６…活物質層としての負極活物質層、３０，４０，８６…絶縁シートとしての絶縁フィルム、３２，４２…被覆部としての第２被覆部、８６ａ…被覆部としての第２部位。
【図１】
2018170244.tif 000003
【図２】
2018170244.tif 000004
【図３】
2018170244.tif 000005
【図４】
2018170244.tif 000006
【図５】
2018170244.tif 000007
【図６】
2018170244.tif 000008
【図７】
2018170244.tif 000009